(57)【要約】【課題】  大幅な設計変更を要することなく鋼板コイルにすり傷痕を付けないようにした鋼板コイルの巻き癖矯正装置をを提供する。【解決手段】  鋼板コイル１を巻き戻して巻き癖を矯正するために通板する平面の送りガイド２と、この送りガイド２の下面に配置されたシリンダ３により鋼板コイル１に接触させ鋼板コイル端末１ａを送りガイド２上に誘導して通板するためのオープナフラッパー５とからなる鋼板コイルの巻き癖矯正装置において、オープナフラッパー５の先端部に断面がループ状の軟質樹脂６を設け、鋼板コイル端末１ａの下面と鋼板コイル１の外周面にループ状の軟質樹脂６を接触するようにした。【選択図】        図１
2006334655.tif 000002
【特許請求の範囲】
【請求項１】
鋼板コイルを巻き戻して巻き癖を矯正するために通板する平面の送りガイドと、この送りガイドの下面に配置されたシリンダにより鋼板コイルに接触させ鋼板コイル端末を前記送りガイド上に誘導して通板するためのオープナフラッパーとからなる鋼板コイルの巻き癖矯正装置において、前記オープナフラッパーの先端部に断面がループ状の軟質樹脂を設け、鋼板コイル端末の下面と鋼板コイルの外周面に前記ループ状の軟質樹脂を接触するようにしたことを特徴とする鋼板コイルの巻き癖矯正装置。
【請求項２】
断面がループ状の軟質樹脂は直径６０ｍｍ、厚み４〜５ｍｍで円周の１箇所をカットしていることを特徴とする請求項１に記載の鋼板コイルの巻き癖矯正装置。
【発明の詳細な説明】
【技術分野】
【０００１】
本発明は、鋼板コイルの取り扱い工程において鋼板コイルの巻き癖を矯正する装置に関するものである。
【背景技術】
【０００２】
鋼板コイルはロール状で納入される。この鋼板コイルより例えばプレス鋼板に加工するためにはロール状のコイルを巻き戻して平板にして所要の大きさに裁断する必要がある。ところで、鋼板コイルには巻き癖があり、この巻き癖を矯正しなくてはならない。
【０００３】
従来、図７で示すような鋼板コイルの巻き癖矯正装置が用いられている。すなわち、鋼板コイル１を巻き戻して巻き癖を矯正するために通板する平面の送りガイド２と、この送りガイド２の下面に配置されたシリンダ３により傾倒可能な保持部材４を介して鋼板コイル１に接触させ鋼板コイル１の端末１ａを前記送りガイド２上に誘導して通板するためのオープナフラッパー５とから構成されている。
【０００４】
上記のような鋼板コイルの巻き癖矯正装置においてオープナフラッパー５を装備していない場合は図８で示すように鋼板コイル１の端末１ａが鋼板コイル１と送りガイド２との間の隙間を通り送りガイド２の下に潜り込み、送りガイド２上への通板不良となり平板に矯正することができない。しかし、オープナフラッパー５を装備していると図９で示すように鋼板コイル１の端末１ａをオープナフラッパー５によって送りガイド２上への正常に通板し平板に矯正することができる。
【０００５】
しかしながら、オープナフラッパー５が鋼板コイル１に直接接触し、しかも鋼板コイル１のロール形状が真円ではないため回転時の偏心により微妙な接触圧力差が生じ、オープナフラッパー５で鋼板コイル１にすり傷痕を付け易いという問題がある。
【特許文献１】実開平０５−１３６０９公報
【発明の開示】
【発明が解決しようとする課題】
【０００６】
本発明の目的は、大幅な設計変更を要することなく鋼板コイルにすり傷痕を付けないようにした鋼板コイルの巻き癖矯正装置を提供することである。
【課題を解決するための手段】
【０００７】
上記の目的を達成するための本発明は、請求項１に記載の通り、鋼板コイルを巻き戻して巻き癖を矯正するために通板する平面の送りガイドと、この送りガイドの下面に配置されたシリンダにより鋼板コイルに接触させ鋼板コイル端末を前記送りガイド上に誘導して通板するためのオープナフラッパーとからなる鋼板コイルの巻き癖矯正装置において、前記オープナフラッパーの先端部に断面がループ状の軟質樹脂を設け、鋼板コイル端末の下面と鋼板コイルの外周面に前記ループ状の軟質樹脂を接触するようにしたことを特徴とするものである。
【０００８】
また、請求項２に記載の通り、断面がループ状の軟質樹脂は直径６０ｍｍ、厚み４〜５ｍｍで円周の１箇所をカットしていることを特徴とするものである。
【発明の効果】
【０００９】
本発明によると、従来の鋼板コイルの巻き癖矯正装置を大幅な設計変更を要することなくオープナフラッパーの先端部に断面がループ状の軟質樹脂を設けた簡単な構造により鋼板コイルにすり傷痕を付けることなく、また、鋼板コイルの偏心回転に影響されることなく一定の接触圧を確保し、鋼板コイルの巻き癖を矯正するための平面の送りガイド上に鋼板コイルの端末を確実に誘導して通板することができるという効果を有している。
【発明を実施するための最良の形態】
【００１０】
以下本発明を実施するための最良の形態について図１乃至図４に基づいて説明する。図１において、１は鋼板コイルであり、１ａは巻き戻した鋼板コイル端末を示す。鋼板コイル１の巻き癖矯正装置は、鋼板コイル１を巻き戻して巻き癖を矯正するために通板する平面の送りガイド２と、この送りガイド２の下面に配置されたシリンダ３により傾倒可能な保持部材４を介して鋼板コイル１に接触させ鋼板コイル１の端末１ａを前記送りガイド２上に誘導して通板するためのオープナフラッパー５とから構成されており、この構成の限りでは従来装置と同様である。
【００１１】
本発明は、前記オープナフラッパー５の先端部に断面がループ状の軟質樹脂６を設け、鋼板コイル端末１ａの下面と鋼板コイル１の外周面に前記ループ状の軟質樹脂６を接触するようにしたものである。
【００１２】
前記ループ状の軟質樹脂６は、例えば、塩化ビニールのホースのようなものであり、図３で示すように、直径Ｄ＝６０ｍｍ、厚みｔ＝４〜５ｍｍで円周の１箇所をカット７している。このループ状の軟質樹脂６のオープナフラッパー５の先端部への取り付けは、例えば、図２で示すように、ループ状の軟質樹脂６が弯曲部を形成するようオープナフラッパー５にビス８で固着する押さえ板７によって取り付けられる。
【００１３】
上記の通りの構造よりなる本発明のループ状の軟質樹脂６の形状変化について図４により説明する。図４（Ａ）はオープナフラッパー５の原点状態であり、ループ状の軟質樹脂６は略円形を呈している。図４（Ｂ）はオープナフラッパー５が前進傾倒して鋼板コイル１の外周面に軽く接触した状態であり、ループ状の軟質樹脂６は多少楕円形に変形している。図４（Ｃ）はオープナフラッパー５がさらに傾倒してループ状の軟質樹脂６を鋼板コイル１の外周面に接触圧力を付与した状態であり、ループ状の軟質樹脂６は押し潰された形状となり、図１で示すように、鋼板コイル端末１ａの下面にも接触し鋼板コイル１の端末１ａを前記送りガイド２上に誘導して通板する。
【００１４】
このように、オープナフラッパー５はループ状の軟質樹脂６を介して鋼板コイル１の外周面と鋼板コイル端末１ａの下面とに接触して鋼板コイル１の端末１ａを前記送りガイド２上に誘導して通板するため、鋼板コイル１の外周面や巻き戻した鋼板コイルの下面にすり傷痕を防止することができると共に、鋼板コイル１の偏心回転による図１に示すＥ−Ｆ方向のブレをループ状の軟質樹脂６で吸収し一定の接触圧を確保する。また、ループ状の軟質樹脂６は鋼板コイル１に接触したときクッション作用し、オープナフラッパー５を鋼板コイル１にソフトに接触させることができる。
【００１５】
前記ループ状の軟質樹脂６を図３で示すように直径Ｄ＝６０ｍｍ、厚みｔ＝４〜５ｍｍの寸法設定することにより、鋼板コイル１の端末１ａを送りガイド２上に確実に誘導する作用を有する。
【００１６】
その根拠は、ループ状の軟質樹脂６の直径Ｄ＝６０ｍｍ、厚みｔ＝４〜５ｍｍより大きすぎる場合は図５で示すように、ループ状の軟質樹脂６の高さＨが不一定となり、鋼板コイル端末１ａがループ状の軟質樹脂６の先端の同じ場所に絶えず当たって鋼板コイル端末１ａを誘導するためループ状の軟質樹脂６が損傷を受け易く、引いては鋼板コイル１の端末１ａの送りガイド２上への誘導不良を生じる。
【００１７】
また、ループ状の軟質樹脂６の直径Ｄ＝６０ｍｍより小さすぎる場合は図６で示すように、ループ状の軟質樹脂６の弾性が高くなり、ループ状の軟質樹脂６の先端の丸味が大きくなって鋼板コイル１の端末１ａは鋼板コイル１の外周面とループ状の軟質樹脂６との隙間に進行し易くなり送りガイド２上への誘導不良に至るものである。
【００１８】
従って、ループ状の軟質樹脂６は図３で示すように直径Ｄ＝６０ｍｍ、厚みｔ＝４〜５ｍｍの寸法が適正で推奨されるものである。
【００１９】
このように、本発明は、図７に示す従来の鋼板コイルの巻き癖矯正装置のオープナフラッパー５の先端部に断面がループ状の軟質樹脂６を装着する簡単な構造により従来の問題点を解消し、極めて低コストにより効果が大なる鋼板コイルの巻き癖矯正装置を提供することができる。
【図面の簡単な説明】
【００２０】
【図１】本発明の要部側面図
【図２】オープナフラッパー先端部の構造を示す図
【図３】ループ状の軟質樹脂の断面図
【図４】オープナフラッパーの作動状態におけるループ状の軟質樹脂の形状変化を示す図
【図５】ループ状の軟質樹脂の径と厚味寸法が推奨寸法より大きすぎる場合の問題を示す図
【図６】ループ状の軟質樹脂の径と厚味寸法が推奨寸法より小さすぎる場合の問題を示す図
【図７】従来の鋼板コイルの巻き癖矯正装置の側面図
【図８】オープナフラッパーを装備していない場合の不具合を示す図
【図９】オープナフラッパーを装備してる場合の鋼板コイル端末の通板状態を示す図
【符号の説明】
【００２１】
１    鋼板コイル
１ａ  鋼板コイル端末
２    送りガイド
３    シリンダ
４    保持部材
５    オープナフラッパー
６    ループ状の軟質樹脂
７    押さえ板
８    ビス
【図１】
2006334655.tif 000003
【図２】
2006334655.tif 000004
【図３】
2006334655.tif 000005
【図４】
2006334655.tif 000006
【図５】
2006334655.tif 000007
【図６】
2006334655.tif 000008
【図７】
2006334655.tif 000009
【図８】
2006334655.tif 000010
【図９】
2006334655.tif 000011